(57)【要約】【課題】本発明は、飲料ディスペンサから飲料をデカンタに注ぐ際に飲料を正常にデカンタに注ぐことができるデカンタの位置の範囲を拡げることができ、利用者の利便性を向上させることができるデカンタキャップを提供することを目的とするものである。【解決手段】デカンタキャップは、第１キャップ体１０と第２キャップ体２０とを有している。第２キャップ体２０は、第２筒部２１と、第２筒部２１と第２拡張部２２とを含む漏斗形状に形成されている。第２キャップ体２０は、第２拡張部２２が上方に向けて開口する向きで配置されることにより、上方から注がれる飲料を第１キャップ体１０の注入口１１ａに案内する。【選択図】図８
2014018617.tif 000002
【特許請求の範囲】
【請求項１】
デカンタに取付けられるデカンタキャップであって、
前記デカンタの内部に連通される注入口を有する第１筒部を含み、前記デカンタに取付けられる第１キャップ体と、
第２筒部、及び前記第２筒部と一体に設けられるとともに前記第２筒部の内径よりも大きな開口を有する拡張部を含む漏斗形状に形成された第２キャップ体と
を備え、
前記第２キャップ体は、前記拡張部が上方に向けて開口する向きで前記第２筒部が前記第１筒部に接続されることにより、上方から注がれる飲料を前記注入口に案内するとともに、前記拡張部が下方に向けて開口する向きで前記第２筒部の内部に前記第１筒部が挿入されることにより、前記第１キャップ体に重ねて配置される
ことを特徴とするデカンタキャップ。
【請求項２】
前記第１筒部に外ネジが設けられるとともに、前記第２筒部に内ネジが設けられており、前記第１筒部の前記外ネジに前記第２筒部の前記内ネジが螺合されることにより、前記第１キャップ体に前記第２キャップ体が固定されることを特徴とする請求項１記載のデカンタキャップ。
【請求項３】
前記第２キャップ体には、
前記第２筒部の一端から前記第２筒部の径方向に沿う内側に向かって延出された壁部と、
前記壁部から前記第２筒部の延在方向に沿って延在され、前記拡張部が上方に向けて開口する向きで前記第２キャップ体が配置される際に前記第１筒部の内部に挿入される第３筒部と
がさらに設けられていることを特徴とする請求項１又は請求項２に記載のデカンタキャップ。
【請求項４】
前記第１筒部に内ネジが設けられるとともに、前記第３筒部に外ネジが設けられており、前記第１筒部の前記内ネジに前記第３筒部の前記外ネジが螺合されることにより、前記拡張部が上方に向けて開口する向きで前記第２キャップ体が配置される際に前記第１キャップ体に前記第２キャップ体が固定されることを特徴とする請求項３記載のデカンタキャップ。
【発明の詳細な説明】
【技術分野】
【０００１】
本発明は、デカンタに取付けられるデカンタキャップに関する。
【背景技術】
【０００２】
従来用いられていたこの種のデカンタキャップとしては、例えば下記の特許文献１等に示されている構成を挙げることができる。すなわち、従来構成では、デカンタの内部に連通された注入口を有するキャップ体がデカンタに取付けられる。飲料ディスペンサから飲料（例えばコーヒーマシンからのコーヒ等）をデカンタに注ぐ際には、飲料ディスペンサの注出口の真下にキャップ体の注入口が位置するようにデカンタが配置される。
【先行技術文献】
【特許文献】
【０００３】
【特許文献１】特開２０００−５１０８２号公報
【発明の概要】
【発明が解決しようとする課題】
【０００４】
一般に、飲料ディスペンサのデカンタを置く部分は、対応するデカンタの大きさに形成されている。このため、対応するデカンタであれば、デカンタを所定位置に置いた際に、注出口の真下に注入口が位置するようにデカンタが配置される。しかしながら、他の大きさのデカンタを用いた場合、デカンタの位置が定まらず、注出口の真下から注入口がずれてしまう場合がある。すなわち、上記のような従来のデカンタキャップでは、他の大きさのデカンタを用いた場合に、注出口の真下に注入口が位置するようにデカンタを正確に配置しなければ飲料がこぼれてしまうため、利用者の利便性が低下している。
【０００５】
本発明は、上記のような課題を解決するためになされたものであり、その目的は、飲料ディスペンサから飲料をデカンタに注ぐ際に飲料をデカンタに正常に注ぐことができるデカンタの位置の範囲を拡げることができ、利用者の利便性を向上させることができるデカンタキャップを提供することである。
【課題を解決するための手段】
【０００６】
本発明に係るデカンタキャップは、デカンタに取付けられるデカンタキャップであって、デカンタの内部に連通される注入口を有する第１筒部を含み、デカンタに取付けられる第１キャップ体と、第２筒部、及び第２筒部と一体に設けられるとともに第２筒部の内径よりも大きな開口を有する拡張部を含む漏斗形状に形成された第２キャップ体とを備え、第２キャップ体は、拡張部が上方に向けて開口する向きで第２筒部が第１筒部に接続されることにより、上方から注がれる飲料を注入口に案内するとともに、拡張部が下方に向けて開口する向きで第２筒部の内部に第１筒部が挿入されることにより、第１キャップ体に重ねて配置される。
【発明の効果】
【０００７】
本発明のデカンタキャップによれば、第２キャップ体は、拡張部が上方に向けて開口する向きで第２筒部が第１筒部に接続されることにより、上方から注がれる飲料を注入口に案内するので、飲料ディスペンサから飲料をデカンタに注ぐ際に飲料をデカンタに正常に注ぐことができるデカンタの位置の範囲を拡げることができ、利用者の利便性を向上させることができる。また、拡張部が下方に向けて開口する向きで第２筒部の内部に第１筒部が挿入されることにより第２キャップ体が第１キャップ体に重ねて配置されるので、第２キャップ体を第１キャップ体と一体に管理でき、第２キャップ体を紛失してしまう可能性を低減できる。
【図面の簡単な説明】
【０００８】
【図１】本発明の実施の形態１によるデカンタキャップを示す正面図である。
【図２】図１のデカンタキャップの断面図である。
【図３】図１の第２拡張部が下方に開口する向きで第１キャップ体に第２キャップ体が取付けられた状態を示す正面図である。
【図４】図３の第１及び第２キャップ体の断面図である。
【図５】図１の第２拡張部が上方に開口する向きで第１キャップ体に第２キャップ体が取付けられた状態を示す正面図である。
【図６】図５の第１及び第２キャップ体の断面図である。
【図７】図３の状態のデカンタキャップがデカンタに取付けられた状態を示す説明図である。
【図８】図５の状態のデカンタキャップがデカンタに取付けられた状態を示す説明図である。
【図９】本発明の実施の形態２によるデカンタキャップの断面図である。
【図１０】第２拡張部が上方に向けて開口する向きで図９の第２キャップ体が配置された状態を示す説明図である。
【発明を実施するための形態】
【０００９】
以下、本発明を実施するための形態について、図面を参照して説明する。
実施の形態１．
図１は本発明の実施の形態１によるデカンタキャップを示す正面図であり、図２は図１のデカンタキャップの断面図である。図１及び図２に示すように、デカンタキャップ１は、第１キャップ体１０と第２キャップ体２０とを有している。
【００１０】
第１キャップ体１０は、互いに一体に形成された第１筒部１１、第１拡張部１２、及び延長壁部１３を含んでいる。第１筒部１１は、上部に注入口１１ａを有する筒状体であり、第１拡張部１２の一端（上部）に固定されている。第１拡張部１２は、頂部が切り取られた円錐体である。第１拡張部１２の他端（下部）に設けられた開口１２ａ（図２参照）は、第１筒部１１の内径１１ｂよりも大きくされている。延長壁部１３は、第１拡張部１２の下部から延出された円環状の壁体である。
【００１１】
後に図を用いて説明するように、第１キャップ体１０は、第１拡張部１２が下方に向けて開口する向きでデカンタ２に直接取付けられる（図７参照）。第１キャップ体１０がデカンタ２に取付けられた場合、デカンタ２の内部に注入口１１ａが連通される。延長壁部１３は、第１キャップ体１０がデカンタ２に取付けられる際にデカンタ２の開口に挿入される。
【００１２】
第１筒部１１には、第１外ネジ１１ｃが形成されている。この第１外ネジ１１ｃは、第１キャップ体１０に第２キャップ体２０を固定する際に使用される（図３〜図６参照）。
【００１３】
第２キャップ体２０は、全体として漏斗形状に形成されたものであり、互いに一体に形成された第２筒部２１及び第２拡張部２２を含んでいる。第２筒部２１は、第１筒部１１の外径１１ｄよりも僅かに大きな内径２１ａを有する筒状体であり、第２拡張部２２の一端（上部）に固定されている。第２拡張部２２は、頂部が切り取られた円錐体である。第２拡張部２２の他端（下部）に設けられた開口２２ａは、第２筒部２１の内径２１ａよりも大きくされている。第２筒部２１には、上述の第１外ネジ１１ｃに螺合される第１内ネジ２１ｂが形成されている。
【００１４】
次に、図３は図１の第２拡張部２２が下方に開口する向きで第１キャップ体１０に第２キャップ体２０が取付けられた状態を示す正面図であり、図４は図３の第１及び第２キャップ体１０，２０の断面図である。図３及び図４に示すように、第２キャップ体２０は、第２拡張部２２が下方に向けて開口する向きで第２筒部２１の内部に第１筒部１１が挿入されることにより、第１キャップ体１０に重ねて配置されることが可能である。このとき、第１外ネジ１１ｃに第１内ネジ２１ｂが螺合されることで、第２キャップ体２０が第１キャップ体１０に固定される。
【００１５】
次に、図５は図１の第２拡張部２２が上方に開口する向きで第１キャップ体１０に第２キャップ体２０が取付けられた状態を示す正面図であり、図６は図５の第１及び第２キャップ体１０，２０の断面図である。図５及び図６に示すように、第２キャップ体２０は、第２拡張部２２が上方に向けて開口する向きで第２筒部２１の内部に第１筒部１１が挿入される（第２筒部２１が第１筒部１１に接続される）ことにより、第１キャップ体１０に取付けられることも可能である。図３及び図４の場合と同様に、第１外ネジ１１ｃに第１内ネジ２１ｂが螺合されることで、第２キャップ体２０が第１キャップ体１０に固定される。
【００１６】
次に、図７は、図３の状態のデカンタキャップ１がデカンタ２に取付けられた状態を示す説明図である。図７に示すように、第２拡張部２２が下方に開口する向きで第２キャップ体２０が第１キャップ体１０に取付けられた状態で、デカンタキャップ１がデカンタ２に取付けられた場合、第２キャップ体２０が第１キャップ体１０に重ねられることで、第２キャップ体２０を第１キャップ体１０と一体に管理することができる。これにより、第２キャップ体２０を他の場所に収納する場合と比べて、第２キャップ体２０を紛失してしまう可能性を低減できる。また、第１外ネジ１１ｃに第１内ネジ２１ｂが螺合されることにより、第１キャップ体１０に第２キャップ体２０が固定されるので、第２キャップ体２０を紛失してしまう可能性をさらに低減できる。
【００１７】
次に、図８は、図５の状態のデカンタキャップ１がデカンタ２に取付けられた状態を示す説明図である。図８に示すように、デカンタキャップ１は、飲料ディペンサ等から飲料をデカンタ２に注ぐ場合に図５のような状態でデカンタ２に取付けられる。すなわち、第２拡張部２２が上方に向けて開口する向きで第２筒部２１が第１筒部１１に接続される。このような向きで第２キャップ体２０が第１キャップ体１０に取付けられことで、上方から注がれる飲料を第２拡張部２２により注入口１１ａに案内するができる。これにより、注入口１１ａのみが上方に向けて開口している場合と比較して、飲料ディスペンサから飲料をデカンタ２に注ぐ際に飲料をデカンタ２に正常に注ぐことができるデカンタ２の位置の範囲を拡げることができ、利用者の利便性を向上させることができる。
【００１８】
このようなデカンタキャップ１では、第２キャップ体２０は、第２拡張部２２が上方に向けて開口する向きで第２筒部２１が第１筒部１１に接続されることにより、上方から注がれる飲料を注入口１１ａに案内するので、飲料ディスペンサから飲料をデカンタ２に注ぐ際に飲料を正常にデカンタ２に注ぐことができるデカンタ２の位置の範囲を拡げることができ、利用者の利便性を向上させることができる。また、第２拡張部２２が下方に向けて開口する向きで第２筒部２１の内部に第１筒部１１が挿入されることにより第２キャップ体２０が第１キャップ体１０に重ねて配置されるので、第２キャップ体２０を第１キャップ体１０と一体に管理でき、第２キャップ体２０を紛失してしまう可能性を低減できる。
【００１９】
また、第１外ネジ１１ｃに第１内ネジ２１ｂが螺合されることにより、第１キャップ体１０に第２キャップ体２０が固定されるので、より確実に第２キャップ体２０を第１キャップ体１０と一体に管理でき、第２キャップ体２０を紛失してしまう可能性をさらに低減できる。
【００２０】
実施の形態２．
図９は、本発明の実施の形態２によるデカンタキャップの断面図である。図に示すように、本実施の形態２の第２キャップ体２０には、第２筒部２１の一端から第２筒部２１の径方向２１ｃに沿う内側に向かって延出された壁部２３と、壁部２３から第２筒部２１の延在方向２１ｄに沿って延在された第３筒部２４とがさらに設けられている。第３筒部２４には第２外ネジ２４ａが形成され、第１筒部１１には第２内ネジ１１ｅが形成されている。
【００２１】
図９に示すように、第２拡張部２２が上方に向けて開口する向きで第２キャップ体２０が配置される場合、壁部２３が第１筒部１１の上端に載せられるとともに、第３筒部２４が第１筒部１１の内部に挿入される。このとき、第２外ネジ２４ａが第２内ネジ１１ｅに螺合されることにより、第２キャップ体２０が第１キャップ体１０に固定される。
【００２２】
実施の形態１のような構成では、第２拡張部２２が上方に向けて開口する向きで第２キャップ体２０が配置される場合に、第２筒部２１が第１筒部１１の外周に位置しているため（図５、図６及び図８参照）、第２筒部２１と第１筒部１１との間に飲料が入り込み、飲料が外部へと漏れる可能性がある。しかしながら、本実施の形態２のような構成を採ることで、第２筒部２１と第１筒部１１との間に飲料が入り込むことを壁部２３及び第３筒部２４により防止でき、飲料が外部へと漏れる可能性を低減できる。
【００２３】
次に、図１０は、第２拡張部２２が下方に向けて開口する向きで図９の第２キャップ体２０が配置された状態を示す説明図である。第２拡張部２２が下方に向けて開口する向きで図９の第２キャップ体２０を配置する場合、壁部２３が第１筒部１１の上端に載せられるとともに、上方からみたときに第３筒部２４が注入口１１ａに一部重なるように配置される。第３筒部２４が第１筒部１１の内部に挿入される太さのため、第３筒部２４の内径は第１筒部１１の内径（注入口１１ａの幅）よりも小さい。このため、第２拡張部２２が下方に向けて開口する向きで第２キャップ体２０が配置されることで、デカンタキャップ１の上部の開口を狭くすることができ、万が一デカンタ２が倒れた場合でもデカンタ２の上部からこぼれ出る飲料の量を少なくできる。その他の構成は、実施の形態１と同様である。
【００２４】
このようなデカンタキャップ１では、第２キャップ体２０に壁部２３と第３筒部２４とがさらに設けられているので、第２筒部２１と第１筒部１１との間に飲料が入り込むことを壁部２３及び第３筒部２４により防止でき、飲料が外部へと漏れる可能性を低減できる。また、万が一デカンタ２が倒れた場合でもデカンタ２の上部からこぼれ出る飲料の量を少なくできる。
【符号の説明】
【００２５】
１  デカンタキャップ
２  デカンタ
１０  第１キャップ体
１１  第１筒部
１１ａ  注入口
１１ｃ  第１外ネジ
１１ｅ  第２内ネジ
１２  第１拡張部
２０  第２キャップ体
２１  第２筒部
２１ｂ  第１内ネジ
２２  第２拡張部
２４  第３筒部
２４ａ  第２外ネジ
【図１】
2014018617.tif 000003
【図２】
2014018617.tif 000004
【図３】
2014018617.tif 000005
【図４】
2014018617.tif 000006
【図５】
2014018617.tif 000007
【図６】
2014018617.tif 000008
【図７】
2014018617.tif 000009
【図８】
2014018617.tif 000010
【図９】
2014018617.tif 000011
【図１０】
2014018617.tif 000012